(57)【要約】      （修正有）【課題】カーテンの断熱効果を向上させるカーテン裾断熱フォルダーを提供する。【解決手段】カーテン巾木と、側板と、カーテンクッションからなる。カーテン巾木は、横幅が窓上部にあるカーテンレールの長さ＋２０ｍｍ〜４０ｍｍで、高さが１５０ｍｍ〜２００ｍｍで、厚さが３ｍｍ〜１０ｍｍで断熱性のある素材による板状である。側板は、奥行きが２枚掛けカーテンの場合は１３０ｍｍ〜１５０ｍｍで、３枚掛けカーテンの場合は１７０ｍｍ〜２００ｍｍで、厚さがカーテン巾木と同じかやや厚めで、高さと材料はカーテン巾木と同様である。カーテンクッションは、横幅と奥行きはカーテン巾木と側板の内側に入るサイズで厚さはカーテン裾下を塞げる１５ｍｍ〜３０ｍｍで材料は断熱性と柔軟性を備える。【選択図】図３
0003177826.tif 000002
【実用新案登録請求の範囲】
【請求項１】
横幅が窓上部にあるカーテンレールの長さプラス２０ｍｍから４０ｍｍで高さが１５０ｍｍから２００ｍｍで厚さが３ｍｍから１０ｍｍで段ボールなどの紙質材料やインシュレーションボードや合板や化粧合板や配向性ボードや集成材や無垢材などの木質材料や硬質ウレタンフォームやフォームポリスチレンなどのプラスチック材料といった断熱性のある素材による板状のカーテン巾木と、奥行きが２枚掛けカーテンの場合は１３０ｍｍから１５０ｍｍで３枚掛けカーテンの場合は１７０ｍｍから２００ｍｍで厚さがカーテン巾木と同じか転倒防止などのためやや厚めで高さと材料はカーテン巾木と同様の板状の側板と、横幅と奥行きはカーテン巾木と側板の内側に入るサイズで厚さはカーテン裾下を塞げる１５ｍｍから４０ｍｍで材料はビニールや吸湿性の少ない布などでできた袋状の物にロックウールやグラスウールやセルロースファイバーやスポンジなどの断熱性とともに柔軟性を備えた材料もしくは空気を入れたりスポンジのような断熱性と柔軟性を備えた物を袋状の物に入れずに直に使用するカーテンクッションからなることを特徴とするカーテン裾断熱フォルダー。
【考案の詳細な説明】
【技術分野】
【０００１】
本考案は、窓に掛けられるカーテンの断熱効果を設置するだけで向上させるカーテン裾断熱フォルダーに関するものである。
【背景技術】
【０００２】
東日本大震災以降、省エネやエコにつながる自然エネルギー利用や節電志向が高まっている。節電方法としては、冷暖房や照明を使わないなど電力消費を抑える、省エネ機器に買い替える、住宅の断熱性能の向上、断熱効果を上げるグリーンカーテンや通風など自然活用などが実行されている。中でも、住宅の断熱性能の向上においては、壁や天井や床の断熱材使用やソーラーサーキットなどの断熱施工法また窓素材や窓構造の断熱性能などの技術は日々進歩しており、住宅の構造体としての断熱性能は向上している。
【０００３】
ただ、壁や天井や床といった躯体に比べ開口部の建具である窓の熱貫流率が高く断熱性能は低い。このため、サッシュの断熱構造や窓ガラスの断熱性能の向上や複層ガラスや合わせガラスや二重サッシュといった開口部の断熱化や断熱性能の高いウインドウ・トリートメントの使用により熱貫流率を下げて断熱性能の向上を図っているが、躯体の断熱性能と比べるとその効果は低く窓際が冷えるといった問題が生じている。
【０００４】
そして、窓ガラスの断熱性能の向上に関わらず窓において冬場の結露が問題となっている。これは、窓の内外の温度差により窓近くの空気が冷やされ空気中の湿気が水滴となって窓ガラスに付着するものである。言いかえれば、室内の空気は、冬場には窓の外気温の影響を窓ガラスより受けて冷やされており、夏場は高温の外気温や強い日射によって温められている。
【０００５】
ここでカーテンを閉めることにより、窓近くの空気はカーテンを隔てて室内側から分断された窓との間の空気層を形成し室内側への熱貫流が軽減される。冬場の冷やされた空気はこの空気層を下方に降下し、夏場の暖められた空気は上方に上昇する。このことにより、窓とカーテンの間の空気層は煙突やエレベーターのごとく、冬場はカーテン上部から室内の暖かい空気を吸い込み窓により冷やされカーテン下部から室内に冷たい空気を吹き出し、夏場はカーテン下部より室内の冷えた空気を吸い込み窓により温められてカーテン上部から室内に暖かい空気を吹き出して冷暖房効率を低下させている。
【０００６】
冬場にカーテンの裾から冷たい空気が流れ込んでいるので、カーテンのそばを歩けなかったり座るなど近寄れないということがあり、室内での温度差が問題となる。
【０００７】
開口部の断熱効果を上げるために、サッシュやガラスの付け替えなどができる住宅ではこの方法がまず考えられるが冷気の吹き出し等を遮断することはできない。さらに分譲マンションや賃貸住宅など開口部の改装を自由にできない住居においては、窓の断熱性能の向上はほぼ不可能な問題となる。
【０００８】
そこで、窓とカーテンの間の空気層と室内側の空気の対流を遮断することが、開口部での断熱性能を向上させるとともにエネルギー消費量を軽減させる有効手段である。
【０００９】
類似する考案に、窓に対して高さ１０００ｍｍほどの断熱性のある遮蔽体を据え置いて、ここに冷えた空気を溜めて窓で冷やされた空気が室内に流入しないように遮断しようとする先行技術があるが、窓で冷やされた空気を遮蔽体で蓄えて遮蔽するために大きくなっていて窓の開口部としての出入りや眺望や通気といった本来の機能を損ねる点と、蓄えられた空気が溢れた場合室内の空気と混ざり室内を冷やしてしまう点と、インテリアとして大きすぎるため居住者が視覚的に心地良く使用できない点、さらに空気の流動を妨げていないことから結露に対しての効果が不明瞭であるという点が問題でとなる。
【先行技術文献】
【特許文献】
【００１０】
【特許文献１】特開２００９−２７０４１９号公報
【考案の概要】
【考案が解決しようとする課題】
【００１１】
解決しようとする課題は、窓の開口部としての出入りや眺望や通気といった本来の機能への妨げを極力低下させ、蓄えられた空気が室内の空気と混ざらないように空気の対流を遮断するとともに冬場の結露を軽減することと、インテリアとして居住者が視覚的に心地良く使用できる大きさのカーテン裾断熱フォルダーを提供することにある。
【課題を解決するための手段】
【００１２】
図1は平面図で、カーテン裾断熱フォルダーはカーテン巾木と側板とカーテンクッションにより構成されている。
【００１３】
図2は断面図で、カーテン巾木と側板が遮蔽物として置かれ、カーテンクッションがカーテンの裾と床の間を塞ぐ。
【００１４】
カーテン巾木は、横幅を窓上部にあるカーテンレールの長さプラス２０ｍｍから４０ｍｍ、厚さ３ｍｍから１０ｍｍ、高さ１５０ｍｍから２００ｍｍ、材料は段ボールなどの紙質材料やインシュレーションボードや合板や化粧合板や配向性ボードや集成材や無垢材などの木質材料や硬質ウレタンフォームやフォームポリスチレンなどのプラスチック材料といった断熱性のある素材による板状の物を用いる。
【００１５】
側板は、奥行きを２枚掛けカーテンの場合は１３０ｍｍから１５０ｍｍで３枚掛けカーテンの場合は１７０ｍｍから２００ｍｍ、厚さはカーテン巾木と同じか転倒防止などのためやや厚め、高さと材料はカーテン巾木と同様の板状の物を用いる。
【００１６】
カーテンクッションは、横幅と奥行きはカーテン巾木と側板の内側に入るサイズ、厚さはカーテン裾下を塞げる１５ｍｍから４０ｍｍ、材料はビニールや吸湿性の少ない布などでできた袋状の物にロックウールやグラスウールやセルロースファイバーやスポンジなどの断熱性とともに柔軟性を備えた材料もしくは空気を入れる。たとえば、緩衝材に使われているプチプチを折りたたんだりロール状に巻いた物でも良い。また、スポンジのような断熱性と柔軟性を備えた物であれば袋状の物に入れずに直に使用しても良い。
【００１７】
図3はイメージ図で、上部の空気の出入りを塞ぎ断熱性能を向上させるためにこのカーテン裾断熱フォルダーとともにカーテン上部にカーテンボックスを設置しても良い。
【００１８】
このカーテン裾断熱フォルダーは、カーテン巾木と側板が木質材料であればそのテクスチャーを活かしたり、木目風や石質風や金属質風あるいは森林や公園や山や町並みやビーチなどの風景あるいは犬や猫や車やスポーツなどの多彩なフォトやイラストをテクスチャーとしてプリントすることで内装材としてインテリアの一つとなる。
【００１９】
図４はカーテン巾木部分を床組み込み式とした場合を示した図で、カーテン裾断熱フォルダーのカーテン巾木部分を床材の一部を立ち上げ式とすることでオフシーズンの収納スペースを最小限ですませることができる。これは、新築や増改築の際に床の開口部際を立ち上げ式とすることで実現でき、これに側板とカーテンクッションを組み合わせて使用する。
【００２０】
カーテン裾断熱フォルダーを床に置くことでは効果を期待できない腰窓などでは、カーテン裾断熱フォルダーに底板を取り付けてポケット状にすることでカーテン裾下での空気の対流を遮断することができる。
【００２１】
このカーテン裾断熱フォルダーは、人が掃き出し窓での出入りの時につまづいて転倒しないように、室内側もしくは窓側へ倒れるように可倒式としても良い。
【考案の効果】
【００２２】
本考案のカーテン裾断熱フォルダーは、カーテン裾下での空気の行き来を遮断し断熱することで冬場には暖房効率を上げ夏場には冷房効率を上げる。
【００２３】
冬場において空気の行き来を遮断することで、結露を少なく抑える効果が有る。
【００２４】
分譲マンションや賃貸住宅において、管理組合の了承や貸し主の了解なしに設置するだけで断熱効果を得ることができる。
【図面の簡単な説明】
【００２５】
【図１】カーテン裾断熱フォルダーの平面を示した説明図
【図２】カーテン裾断熱フォルダーの断面を示した説明図
【図３】カーテン裾断熱フォルダーのイメージを示した説明図
【図４】カーテン巾木床組み込み式のイメージを示した説明図
【図５】カーテン裾断熱フォルダーの実験を示した説明図
【図６】カーテン裾断熱フォルダーの実験による温度変化を示した説明図
【考案を実施するための形態】
【実施例１】
【００２６】
図５は、２０１２年１月２３日から同年３月１８日まで実験したものである。
【００２７】
厚さ４ｍｍ程度の段ボール箱を解体して、高さを２００ｍｍ、側板の奥行きを１５０ｍｍとして作成している。
【００２８】
横幅は１４００ｍｍとして右側に側板部分がくる右置き用と左側に側板部分がくる左置き用を作成して、窓のサイズに応じてこれを組合わせて設置している。
【００２９】
クッション材は、同じ段ボールを転倒防止を兼ねて内側に折り込んで用いている。
【００３０】
室内側への転倒防止のために、同じ段ボールをくの字に折って柱状にして取り付けてある。
【００３１】
図６は、実験時の朝６時１０分前後の室温と外気温とその温度差を示した図で、室温は窓から１ｍ程度のところに置いた石油ファンヒーターの温度計による。
【００３２】
カーテン近くで足下に窓で冷やされた空気の吹き出しがなく、外気温が２度以下の寒い日でも室温は９度以上を保っている。１年前にこのような措置をしていない状況ではカーテン近くは冷やされた空気で足下が冷たく感じ寒い日には室温が６度以下となっていたので、空気が遮蔽されて断熱の効果が確認できた。
【００３３】
同様の物を室内各所の窓に設置したところ、北側の窓では例年結露が激しく窓台まで水浸しとなりカビで窓台の木部が黒くなっていたが、今年の冬は窓に結露は発生していたが少なくサッシュから流れて窓台まで濡らすことはなくカビることもなかったので、結露を軽減していることを確認できた。
【産業上の利用可能性】
【００３４】
断熱効果を有することから消費電力削減や二酸化炭素発生量削減の用途に使用することができる。
【００３５】
冬場に結露を少なく押さえ室内の乾燥を軽減させる用途に使用することができる。
【００３６】
窓の建具を自由に変更できない分譲マンションや賃貸住宅において、設置するだけで居住者が断熱効果の向上や省エネ環境の向上を自由に実施することができる。
【００３７】
多彩なテクスチャーを取り揃えることでカーテンと床や壁との目切り材としての役割とともに断熱性能を有するインテリアとしての用途に使用することができる。
【符号の説明】
【００３８】
１    カーテン巾木
２    側板
３    カーテンクッション
４    レースのカーテン
５    厚手のカーテン
６    窓ガラス
７    サッシュ
８    サッシュ枠
９    内壁
１０  外壁
１１  壁内断熱材
１２  床材
１３  床下断熱材
１４  床梁等構造材
１５  カーテンボックス
１６  転倒防止補助柱
【図１】
0003177826.tif 000003
【図２】
0003177826.tif 000004
【図３】
0003177826.tif 000005
【図４】
0003177826.tif 000006
【図５】
0003177826.tif 000007
【図６】
0003177826.tif 000008